(57)【要約】      （修正有）【課題】住宅も高層になりはしご車も届かない環境で生活している人の多く、階下で火災などの災害が起こると、窓やベランダからの脱出が必要となるため、非常時に建物の高所で建物の外部から容易に設置でき逃げられる器具を提供する。【解決手段】本体１の平板の上方に上部金具２を残し、下に大きな四角いロープ引き込み穴４を設け、ロープ引き込み穴４の下に中部金具部５を設け、その下に心棒可動部と補助金具が取り付けられる補助金具取り付け穴６が設けられ、補助金具を支える下部金具７が丸穴の下に構成され補助金具を支え、補助金具取り付け穴６の両サイドには翼型に切り込まれたロープ固定穴８で構成し、心棒９は、中部金具５に可動するように設け、上部金具２に設けた心棒ストッパー３で固定できるように設け、下降器本体は本体１と心棒９の合成で構成したことを特徴とする。【選択図】図１
2010284460.tif 000002
【特許請求の範囲】
【請求項１】
（イ）本体（１）の平板の上方に上部金具（２）を残し、下に大きな四角いロープ引き込    み穴（４）を設ける。
（ロ）ロープ引き込み穴（４）の下に中部金具部（５）を設け、その下に心棒可動部と補    助金具が取り付けられる補助金具取り付け穴（６）が設ける。
（ハ）補助金具を支える下部金具（７）が丸穴の下に構成され補助金具を支え、補助金具    取り付け穴（６）の両サイドには翼型に切り込まれたロープ固定穴（８）で構成する    。
（ニ）心棒（９）は、中部金具（５）に可動するように設け、上部金具（２）に設けた心    棒ストッパー（３）で固定できるように設ける。
（ホ）下降器本体は本体（１）と心棒（９）の合成で構成する。
以上のように構成された降下器。
【発明の詳細な説明】
【技術分野】
【０００１】  本発明は、高所よりロープで降りるときにカラビナなどを使用する登山技術を必要としていたが、登山訓練をしていない人でも簡単にロープに装着、取り外しができ、降りることができる。
また、荷物の重量を利用しロープに絡めながら速度を押さえつつ下降させる機器を提供する。
【背景技術】
【０００２】  建築物も高層になり、足場がない状態で作業をしなければならないときが間々あった。
はしごや高所作業車が届かない場所では、ロープに頼ってすることもしばしばあり、それには、登山技術を持った者を探し探しお願いをしていた。
いつも登山技術を持ったものがいるとは限らない。
また、出来上がった高層ビルが火災災害にあったとき、住んでいる住民が噴出す煙や炎をさけて救助を求める光景をＴＶなどで見聞きしていた。
そんなとき、建物の外壁を降りられる設備があったらと思う。
また、引越しなどで小さい荷物を高所からロープに絡めてトラックに直接下ろすことができれば、何度となく荷物をかかえ、エレベーターで往復することもなく、合理的に下ろせれば作業の省力化、経費の削減に寄与する降下器を提供する。
建設などで高所から物を下ろすとき、建物の３、４階なら、廃棄物などは、投げたり、シュートを使用して降ろしていたが、最近では、それも現場によって禁止されている。
また、建物も７、８階ならロープで荷物を縛り、手や滑車などで下ろしていた。
建物も１０階を越えると、リフトやエレベーター、クレーンを使用するが、搬出や搬入が重なったりなどでリフトやエレベーターが使用できないときに、ロープに絡みながら重量で自然に降りていくものがあれば、残材や破棄物をその重みで地上まで降ろせれば、搬出の作業員を減らせることにもなることから、搬出の省力化に供する物品を提供する。
特開平０７−０００５５１は、ロープ式安全懸垂下降器である。
特開平０９−０１０３３８は、ロープ下降器である。
特開２００４−１９６５１９は、荷物降下器である。
特開２００６−３４５９４８は、降下器である。
人が降下器を使って降りる際には、ロープワークなどの技術の習得が必要でした。
【先行技術文献】
【特許文献】
【０００３】
【特許文献１】  特開平０７−０００５５１号公報
【特許文献２】  特開平０９−０１０３３８号公報
【特許文献３】  特開２００４−１９６５１９号公報
【特許文献４】  特開２００６−３４５９４８号公報
【発明の概要】
【発明が解決しようとする課題】
【０００４】  高所での作業や高所からの脱出にロープへの設置が容易で、高所からの脱出に降下器の下のロープを握り、握りを強めたり弱めたりすることで降下でき、途中での高さを確保する手段を提供する。
また、物を降ろすにしても物の重量で自動的に下降する機能を提供することにある。
【課題を解決するための手段】
【０００５】（イ）本体（１）の平板の上方に上部金具（２）を残し、下に大きな四角いロープ引き込    み穴（４）を設ける。
（ロ）ロープ引き込み穴（４）の下に中部金具部（５）を設け、その下に心棒可動部と補    助金具が取り付けられる補助金具取り付け穴（６）が設ける。
（ハ）補助金具を支える下部金具（７）が丸穴の下に構成され補助金具を支え、補助金具    取り付け穴（６）の両サイドには翼型に切り込まれたロープ固定穴（８）で構成する    。
（ニ）心棒（９）は、中部金具（５）に可動するように設け、上部金具（２）に設けた心    棒ストッパー（３）で固定できるように設ける。
（ホ）下降器本体は本体（１）と心棒（９）の合成で構成する。
以上のように構成された降下器である。
【発明の効果】
【０００６】  従来、登山などの技術がいなくても、一般者が降下器を用いて降下することができる。
本発明は、技術のない一般者でも下降器をロープに容易に取り付けることができ、「下降器の下部のロープを放さない」を合言葉に降下することができる。
また、地上で丸環などの補助具を通したロープの端を介助者が引くことで救助者がロープを持っていなくても降下器下方のロープを引っ張ることで降下器に締め付ける抵抗を与えることで降下速度を緩やかにできる。
【図面の簡単な説明】
【０００７】
【図１】  本発明の本体正面分解図である。
【図２】  本発明の本体合成正面図である。
【図３】  本発明の本体側面図である。
【図４】  本発明の硬質ロープを使用するときの利用図である。
【図５】  本発明の軟質ロープを使用するときの利用図である。
【図６】  本発明の軟質ロープを使用するときの手順図である。
【図７】  本発明のロープ支持材よりロープをたらし荷を吊るした利用図である。
【図８】  本発明の下部での聞きの速度調整の仕方図である
【図９】  本発明の中間での停止ロープ操作図である。
【発明を実施するための形態】
【０００８】（イ）本体（１）の平板の上方に上部金具（２）を残し、下に大きな四角いロープ引き込    み穴（４）を設ける。
（ロ）ロープ引き込み穴（４）の下に中部金具部（５）を設け、その下に心棒可動部と補    助金具が取り付けられる補助金具取り付け穴（６）が設ける。
（ハ）補助金具を支える下部金具（７）が丸穴の下に構成され補助金具を支え、補助金具    取り付け穴（６）の両サイドには翼型に切り込まれたロープ固定穴（８）で構成する    。
（ニ）心棒（９）は、中部金具（５）に可動するように設け、上部金具（２）に設けた心    棒ストッパー（３）で固定できるように設ける。
（ホ）下降器本体は本体（１）と心棒（９）の合成で構成する。
以上のように構成された降下器である。
本発明を使用するときは、
ぶら下がっているロープ（１０）を本体（１）に付いている心棒（９）を持ち上げ、ロープ引き込み穴（４）より心棒（９）の上に乗せるか、心棒（９）にロープ（１０）を巻きつけて心棒（９）を上部金具（２）に付いている心棒ストッパー（３）にはめ込み降下器をロープ（９）に固定させた上で、補助金具取り付け穴（６）に補助具（カラビナ等）（１１）を取り付け、その補助具（１１）に荷物（１２）をブル下げ、荷物の重さで降下させる。
地上近くでロープ（１０）が踊るように落下すると予想されるときは、地上に丸環などの補助具（１３）でロープ（１０）の力を横向きに変え、補助者がロープ（１０）の端で引くことで荷物（１２）の落下速度を調整しながら地上に下ろす。
また、荷物の変わりに人が下方に作業があるとき、ロープ（１０）を伝って途中までおりて高さを固定するために、本器には降下器が下がらないようにロープ固定穴（８）に下降器の下よりロープ（１０）を持ち上げロープ固定穴（８）ロープ（１０）を引っ掛ける。
それでも不安を感じるようなら、ロープ固定穴（８）を２つ使い、ロープ（１０）をロープ固定穴（８）に引っ掛け、たらして使う。
【符号の説明】
【０００９】    １    降下器本体
２    上部金具
３    心棒ストッパー金具
４    ロープ取り込み穴
５    中部金具
６    補助具取り付け穴
７    下部金具
８    ロープ固定穴
９    心棒
１０  ロープ
１１  補助具（カラビナ等）
１２  荷
１３  丸環
１４  ロープ固定支持材（梁等）
【図１】
2010284460.tif 000003
【図２】
2010284460.tif 000004
【図３】
2010284460.tif 000005
【図４】
2010284460.tif 000006
【図５】
2010284460.tif 000007
【図６】
2010284460.tif 000008
【図７】
2010284460.tif 000009
【図８】
2010284460.tif 000010
【図９】
2010284460.tif 000011